(57)【要約】【課題】開智ジグソーパズルの遊戯を遊ぶことができる魔方陣ジグソーパズル機能付きの構造体を提供する。【解決手段】中心棒は複数の回転体に貫設され、固定ボルトを下から上へ底座に貫設し、中心棒の底部にあるネジ穴に螺着することにより固定され、回転体の周辺に、それぞれ、複数のブロックが嵌合され、その中の一つのブロックの端面がＴ文字状で、他のブロックの端面がＩ文字状であり、特別のブロックを直接に回転体の嵌合槽から外すことにより、回転体を任意に回転することができ、また、ブロックを回転体において、上下に移動することができる。【選択図】図２
0003128674.tif 000002
【実用新案登録請求の範囲】
【請求項１】
上方に上蓋があり、下方内管にネジ穴がある中心棒と、
中心に、それぞれ、中心棒が貫設されるための貫通孔があり、周辺に、それぞれ、Ｔ文字状の嵌合槽がある複数の回転体と、
端面がＩ文字状で、それぞれ、回転体の嵌合槽に嵌設され、その中の一つのブロックの端面が、Ｔ文字状で、また、当該ブロックの一端に、斜面が形成される若干のブロックと、
回転体の底部に位置し、中心孔がある底座と、
底座の中心孔を通して中心棒のネジ穴に螺着される固定ボルトと、が含有される、ことを特徴とする魔方陣ジグソーパズル機能付きの構造体。
【請求項２】
回転体の底部に、少なくとも一つの定位凹みがあり、回転体の上端に、少なくとも一つの定位突出があり、定位突出と定位凹みとが、互いに嵌合することにより、回転体を回転する時、定位音を発することを特徴とする請求項１に記載の魔方陣ジグソーパズル機能付きの構造体。
【請求項３】
底座に、書き用具が嵌合されることを特徴とする請求項１に記載の魔方陣ジグソーパズル機能付きの構造体。
【請求項４】
底座に、キーホルダーが嵌合されることを特徴とする請求項１に記載の魔方陣ジグソーパズル機能付きの構造体。
【考案の詳細な説明】
【技術分野】
【０００１】
本考案は、魔方陣ジグソーパズル機能付きの構造体に関し、特に、回転体の脱落を防止できる開智ジグソーパズル遊戯器具に関する。
【背景技術】
【０００２】
一般の従来式である、思考空間を変換して余暇や開智の効果が得られる魔方陣ジグソーパズルは、正方形の構造で、他の物品と結合して一体化する機能がないため、例えば、台湾専利公報公告第１１０３７１号に掲示される開智型魔方陣ジグソーパズル書き用具のような他の類型の魔方陣ジグソーパズルが提案され、しかし、当該提案は、各回転枢着節の端面にある固定凹みと当該節回転枢着節のもう一端面にある固定突出とが係合することだけであるため、上記のような係合方式により、ユーザーが、使用する時、力を大きく印加すると、回転枢着節が容易に脱落して、全体が崩してしまう、改善すべく問題がある。
【特許文献１】台湾専利公報公告第１１０３７１号
【考案の開示】
【考案が解決しようとする課題】
【０００３】
本考案の主な目的は、中心棒を複数の回転体にある貫通孔に貫設して、底部で固定ボルトを螺着することにより、ジグソーパズルを持って遊ぶ時、回転体やその外側に嵌合されたブロックが脱落することを防止できる魔方陣ジグソーパズル機能付きの構造体を提供する。
【０００４】
本考案の他の目的は、底座に書き用具やキーホルダー等の物品が結合されて、使用機能が向上される魔方陣ジグソーパズル機能付きの構造体を提供する。
【課題を解決するための手段】
【０００５】
請求項１の考案は、上方に上蓋があり、下方内管にネジ穴がある中心棒と、中心に、それぞれ、中心棒が貫設されるための貫通孔があり、周辺に、それぞれ、Ｔ文字状の嵌合槽がある複数の回転体と、端面がＩ文字状で、それぞれ、回転体の嵌合槽に嵌設され、その中の一つのブロックの端面が、Ｔ文字状で、また、当該ブロックの一端に、斜面が形成される若干のブロックと、回転体の底部に位置し、中心孔がある底座と、底座の中心孔を通して中心棒のネジ穴に螺着される固定ボルトと、が含有されることを特徴とする魔方陣ジグソーパズル機能付きの構造体である。
【０００６】
請求項２の考案は、回転体の底部に、少なくとも一つの定位凹みがあり、回転体の上端に、少なくとも一つの定位突出があり、定位突出と定位凹みとが、互いに嵌合することにより、回転体を回転する時、定位音を発することを特徴とする請求項１に記載の魔方陣ジグソーパズル機能付きの構造体である。
【０００７】
請求項３の考案は、底座に、書き用具が嵌合されることを特徴とする請求項１に記載の魔方陣ジグソーパズル機能付きの構造体である。
【０００８】
請求項４の考案は、底座に、キーホルダーが嵌合されることを特徴とする請求項１に記載の魔方陣ジグソーパズル機能付きの構造体である。
【考案を実施するための最良の形態】
【０００９】
本考案は、図１〜３のように、主として、中心棒１０と複数の回転体２０、若干のブロック３０、底座４０及び固定ボルト５０等の主要部品から構成され、当該中心棒１０は、上方に上蓋１１があって、下方内管にネジ穴１２があり、当該回転体２０は、必要に応じて数が決められ（図において、五つの回転体２０がある）、中心に、それぞれ、中心棒１０を貫設するための貫通孔２１が設けられ（回転体２０は、色々の造型に設計することができ、図において、四角形である）、その四辺に、それぞれ、Ｔ文字状に類似する嵌合槽２２が設けられ、各嵌合槽２２は、それぞれ、一端面がＩ文字状であるブロック３０が嵌設され（図４のように）、また、図５のように、各回転体２０は、底部に、それぞれ、少なくとも一つの定位凹み２３があり、上部に、それぞれ、少なくとも一つの定位突出２４があり、上下回転体２０の定位凹み２３と定位突出２４とが互いに嵌合して定位することにより、回転体２０を回転して定位に着くと定位音を発することができ、また、当該中心棒１０を、全ての回転体２０に貫設してから、固定ボルト（或いはネジ）５０を下から上へ底座４０の中心孔４１に貫設し、そして、中心棒１０のネジ穴１２に螺着することにより固定する。
【００１０】
図２と４を参照しながら、一つの特別のブロック３０’は、端面がＴ文字状であり、端面がＩ文字状である他のブロック３０と異なり、当該ブロック３０’は、上端に位置する二つの角に、斜面３１が形成され、これにより、ユーザーは、自由にブロック３０’を外すことができ、また、販売者により特別のブロック３０’を上端に位置する回転体２０の嵌合槽２２に嵌合することにより、図１のような完成品が形成され、消費者は、それを購入して、開智魔方陣を遊ぶ時、当該ブロック３０’を直接に外して、図６のように、任意に回転体２０を回転することや上下にブロック３０を移動することにより、ジグソーパズル遊戯を行う。
【００１１】
図７は、本考案の実施例図であり、本考案に係わる底座４０に、書き用具６０が嵌設されて、書き用具を形成し、また、書き用具６０の先端に蓋６１が付いている。
【００１２】
図８は、本考案の他の実施例であり、本考案に係わる底座４０に、キーホルダー７０が嵌設されて、携帯便利性が向上される。
【００１３】
本考案に係わる魔方陣ジグソーパズル機能付きの構造体によれば、主として、中心棒により、全ての回転体が連接されて一体化され、また、固定ボルトで螺着することにより、回転体が脱落することを防止でき、そして、本考案の底座に書き用具やキーホルダー等の物品が嵌設されることができるため、使用機能が向上される。
【図面の簡単な説明】
【００１４】
【図１】本考案の外観図
【図２】本考案の分解図
【図３】本考案の断面図
【図４】本考案の上面図
【図５】本考案の一部の構造図
【図６】本考案の使用状態参考図
【図７】本考案の実施例図１
【図８】本考案の実施例図２
【符号の説明】
【００１５】
１０          中心棒
１１          上蓋
１２          ネジ穴
２０          回転体
２１          貫通孔
２２          嵌合槽
２３          定位凹み
２４          定位突出
３０、３０’  ブロック
３１          斜面
４０          底座
４１          中心孔
５０          固定ボルト
６０          書き用具
６１          蓋
７０          キーホルダー
【図１】
0003128674.tif 000003
【図２】
0003128674.tif 000004
【図３】
0003128674.tif 000005
【図４】
0003128674.tif 000006
【図５】
0003128674.tif 000007
【図６】
0003128674.tif 000008
【図７】
0003128674.tif 000009
【図８】
0003128674.tif 000010